(57)【特許請求の範囲】
【請求項１】
外部からの施解錠情報を認証して錠前を施解錠制御する機能を有し、扉の開閉状態を検知する扉開閉検知部と、電源供給の有無を監視する電源監視部とを備え、前記扉開閉検知部で検知した前記扉の開閉状態を示す状態信号と前記電源監視部で検知した電源供給の有無に応じた状態信号を無線送信する電気錠装置と、
前記電気錠装置から送信された前記扉の開閉状態を示す状態信号と前記電源供給の有無に応じた状態信号とに基づき前記電気錠装置に対する電源供給制御を行う電源供給制御盤とを備え、
非接触通電方式で供給される電源を用いて前記錠前を電気的に施解錠制御する電気錠システムであって、
前記電源供給制御盤は、前記電気錠装置から電源供給無しのときの扉閉扉状態信号が入力したときに、前記電気錠装置に対する電源供給異常であると判別し、前記電気錠装置に対する電源供給を停止するための供給停止制御信号を前記電源制御部に出力することを特徴とする電気錠システム。
【請求項２】
前記電気錠装置は、前記電源供給制御盤から供給される電源を蓄電する蓄電部を備えたことを特徴とする請求項１記載の電気錠システム。
【請求項３】
前記電源供給制御盤と通信可能に接続され、前記電源供給制御盤から前記状態信号を受信して前記電気錠装置の状態管理を行う集中管理装置を備えたことを特徴とする請求項１又は２記載の電気錠システム。
【発明の詳細な説明】
【技術分野】
【０００１】
本発明は、各種扉に具備する施解錠機構を電気的に駆動制御する電気錠システムに係り、特に非接触通電で電源供給される電気錠装置の状態に基づき電源供給を制御する電気錠システムに関するものである。
【背景技術】
【０００２】
従来より、例えば商業ビルや公共施設または一般住宅等の扉には、不審者の侵入を回避するため、防犯性に富んだ電気錠システムが設けられている。この種の電気錠システムは、特定の施解錠信号により、例えばモータやソレノイドなどの駆動手段を駆動してデッドボルトを電気的に進退させ、錠前の施解錠を行っている。
【０００３】
そして、この種の電気錠システムとしては、例えば（１）〜（３）に示すような装置構成の電気錠システムが知られている。
（１）外部から取得した認証情報を照合して認証情報が特定の認証情報であると判別したときに自身の施解錠機構を施解錠制御する制御機能が錠本体の内部に組み込まれた電池駆動式の電気錠システム（下記特許文献１を参照）。
（２）扉に設置された電気錠と室内の壁などに設置された電気錠制御盤との間の電気的接続を通電金具を介して有線接続される有線式の電気錠システム（下記特許文献２を参照）。
（３）電池駆動型の電気錠装置の省電力化を図るべく、電磁誘導作用を利用して外部電源から駆動電源を給電する非接触通電式の電気錠システム（下記特許文献３を参照）。
【特許文献１】特開２００６−３１６５４２号公報
【特許文献２】特開平１０−０２５９３５号公報
【特許文献３】特開２００７−１５４６０５号公報
【発明の開示】
【発明が解決しようとする課題】
【０００４】
しかしながら、上述した（１）〜（３）の従来の電気錠システムでは、以下に示すような課題があった。
【０００５】
まず、（１）の電池駆動式の一体型ロックを用いた電気錠システムでは、電気錠の各種情報や施解錠状態を管理する集中管理装置と通信する場合、電池駆動の特徴を生かして無線で行うが、無線通信を行うための無線モジュールを動作させる必要があるため電力消費が激しく、定期的な電池交換が必要であった。
【０００６】
また、（２）の有線式の通電金具を使用した電気錠システムでは、電気錠と電気錠制御盤とが有線式であるため、扉内の配線処理が発生して加工費用が高くなり、施工期間も長くなるという問題があった。さらに、通電金具の寿命により断線が生じるため、より多くのメンテナンス費用が掛かるという問題もあった。また、有線式の電気錠システムでは、錠の施解錠状態と扉の開閉状態を電気的に監視するための接点信号端子と、施解錠機構のモーターやソレノイドの駆動端子とが錠本体から直接外部に引き出されて電気錠制御盤に配線接続される構成なので、電気錠と電気錠制御盤との間を配線する電線が不正行為などにより切断され、その切断された電線に対して外部から所定の信号（電気錠を施解錠駆動するための信号）が入力して電気錠が不正に施解錠される虞があった。
【０００７】
さらに、（３）の非接触通電方式の電気錠システムでは、電源を非接触で給電するため上記（２）の電気錠システムのような問題は解決されるが、非接触通電間に例えば鉄板等の金属材が不正に挿入された場合、人体に影響を及ぼすほどの熱が発生するが、システム自体でこの挿入された鉄板等の金属材を検知することができなかった。
【０００８】
そこで、本発明は上記問題点に鑑みてなされたものであり、電池交換が不要で、電源供給状態及び扉の開閉状態に基づいて電源供給を制御し、信頼性の向上を図ることができる電気錠システムを提供することを目的とするものである。
【課題を解決するための手段】
【０００９】
上記した目的を達成するために、請求項１記載の電気錠システムは、外部からの施解錠情報を認証して錠前を施解錠制御する機能を有し、扉の開閉状態を検知する扉開閉検知部と、電源供給の有無を監視する電源監視部とを備え、前記扉開閉検知部で検知した前記扉の開閉状態を示す状態信号と前記電源監視部で検知した電源供給の有無に応じた状態信号を無線送信する電気錠装置と、
前記電気錠装置から送信された前記扉の開閉状態を示す状態信号と前記電源供給の有無に応じた状態信号とに基づき前記電気錠装置に対する電源供給制御を行う電源供給制御盤とを備え、
非接触通電方式で供給される電源を用いて前記錠前を電気的に施解錠制御する電気錠システムであって、
前記電源供給制御盤は、前記電気錠装置から電源供給無しのときの扉閉扉状態信号が入力したときに、前記電気錠装置に対する電源供給異常であると判別し、前記電気錠装置に対する電源供給を停止するための供給停止制御信号を前記電源制御部に出力することを特徴とする。
【００１０】
請求項２記載の電気錠システムは、請求項１記載の電気錠システムにおいて、
前記電気錠装置は、前記電源供給制御盤から供給される電源を蓄電する蓄電部を備えたことを特徴とする。
【００１１】
請求項３記載の電気錠システムは、請求項１又は２記載の電気錠システムにおいて、
前記電源供給制御盤と通信可能に接続され、前記電源供給制御盤から前記状態信号を受信して前記電気錠装置の状態管理を行う集中管理装置を備えたことを特徴とする。
【発明の効果】
【００１２】
本発明によれば、制御機能を一体化した電気錠の弱点であった電池交換が不要となり、電池消耗の問題が解決される。また、非接触通電装置を介して電源供給を行っているため、扉内の配線工事を行う必要がなく、システムの設置費用を安価にすることができる。さらに、電気錠装置からの状態信号に基づき、扉閉扉状態で、且つ電源供給されていないときや扉開扉状態のときは電源供給を停止するため、不正に非接触通電装置のユニット間に鉄板が挟まれた場合であっても鉄板の発熱による問題を解消することができる。
【００１３】
また、集中管理装置によって接続される電気錠装置の状態管理を一括して行うことができるため、電源供給異常などの電気錠装置における異常が発生した場合であっても即座に対応することができる。
【発明を実施するための最良の形態】
【００１４】
以下、本発明を実施するための最良の形態について、添付した図面を参照しながら詳細に説明する。図１は本発明に係る電気錠システムの第１形態の概略構成を示すブロック図であり、図２は同電気錠システムにおける電源供給制御盤の動作を説明するためのフローチャート図であり、図３は同電気錠システムにおける電気錠装置の動作を説明するためのフローチャート図である。
また、図４は本発明に係る電気錠システムの第２形態の概略構成を示すブロック図であり、図５は図４の電気錠システムにおける電源供給制御盤の動作を説明するためのフローチャート図である。
【００１５】
本発明に係る電気錠システムは、例えばホテル客室、住宅玄関扉、事務出入口などに採用されるものであり、非接触通電方式により電源供給制御盤から電気錠装置に駆動電源が供給され、扉の開閉状態や電気錠装置への電源供給の有無に基づき電気錠装置に対する電源供給制御を行うものである。
【００１６】
＜第１形態＞
まず、図１〜３を参照しながら、本発明に係る第１形態の電気錠システムについて説明する。
【００１７】
〔第１形態の構成〕
図１に示すように、本例の電気錠システム１は、電源供給制御盤１０、非接触通電装置２０、無線通信機３０、電気錠装置４０を備えて概略構成される。以下、各構成について説明する。
【００１８】
電源供給制御盤１０は、電気錠装置４０の駆動に必要な電源を常時供給しており、電源部１１、電源制御部１２、計時部１３、制御盤制御部１４を備えて構成される。
【００１９】
電源部１１は、電源制御部１２の制御により、例えば商用電源（ＡＣ１００〜２４０Ｖ）である外部電源から供給される電源を非接触通電装置２０に供給している。
【００２０】
電源制御部１２は、制御盤制御部１４から供給制御信号が入力すると、電気錠装置４０に電源供給するべく電源部１１を制御し、供給停止制御信号が入力すると、電気錠装置４０に対する電源供給を停止するべく電源部１１を制御している。
【００２１】
計時部１３は、電気錠装置４０に電源供給を開始してから電気錠装置４０の状態信号を受信するまでの状態信号用時間を計時する状態信号用計時手段１３ａと、電気錠装置４０から受信した状態信号に基づき電気錠装置４０に対する電源供給が停止されてから再び電源供給を開始するまでの時間を計時する停止時間計時手段１３ｂで構成される。
【００２２】
状態信号用計時手段１３ａは、時間内に状態信号を受信したか否かを判別するための基準となる状態信号用時間を計時しており、電気錠装置４０に対して電源の供給が開始されると計時を開始し、電気錠装置４０からの状態信号を制御盤制御部１４が受信したときに計時を終了してリセットしている。また、状態信号用計時手段１３ａは、状態信号用時間の計時を開始した後、制御盤制御部１４が電気錠装置４０からの状態信号を受信することなく所定時間（例えば数秒）が経過すると状態信号用時間の計時を終了し、この計時が終了したことを示す計時終了信号を制御盤制御部１４に出力している。
【００２３】
停止時間計時手段１３ｂは、電気錠装置４０に異常があった場合や扉が開扉している場合に、電気錠装置４０への電源供給を停止してから再び電源供給を開始するまでの時間である供給停止時間を計時している。停止時間計時手段１３ｂは、電気錠装置４０に対する電源供給が停止すると計時を開始し、予め設定された再び電気錠装置４０に電源供給を開始するまでの時間（例えば数秒）を計時し、この計時が終了すると、制御盤制御部１４に電源供給開始を促す供給開始信号を出力している。
【００２４】
制御盤制御部１４は、例えばＣＰＵやＲＯＭ、ＲＡＭなどのマイクロコンピュータで構成され、電源供給制御盤１０を構成する各部の駆動を統括制御している。また、制御盤制御部１４は、無線通信機３０を介して電気錠装置４０から送信された状態信号が入力すると、この入力した状態信号に基づき電源制御部１２の制御を行っている。
【００２５】
具体的に説明すると、電気錠装置４０から電源供給の有無に関わらず扉開扉状態信号が入力した場合、省電力化を図るべく電気錠装置４０に対する電源供給を停止するための供給停止制御信号を電源制御部１２に出力している。また、電気錠装置４０から電源供給無しのときの扉閉扉状態信号が入力した場合、電気錠装置４０に対する電源供給異常（例えば後述する非接触通電装置２０のユニット間に鉄板が装入されている状態、停電や故障により正常に電源供給が行われていない状態など）であると判別し、電気錠装置４０に対する電源供給を停止するための供給停止制御信号を電源制御部１２に出力している。さらに、電気錠装置４０から電源供給有りのときの扉閉扉状態信号が入力した場合、電気錠装置４０に対して正常に電源が供給されていると判別し、電気錠装置４０に対する電源供給を継続するべく供給制御信号を電源制御部１２に出力している。また、計時部１３から計時終了信号が入力すると、電気錠装置４０に何らかの異常が発生していると判別し、電気錠装置４０に対する電源供給を停止するための供給停止制御信号を電源制御部１２に出力している。さらに、制御盤制御部１４は、計時部１３から供給開始信号が入力すると、停止している電源供給を再開するため、電気錠装置４０に供給制御信号を出力している。
【００２６】
非接触通電装置２０は、電源供給制御盤１０から電気錠装置４０に対して非接触で通電するもので、１次側ユニット２０ａと２次側ユニット２０ｂとを備え、ユニット同士が対向して設けられている。１次側ユニット２０ａは、結合トランスを構成する１次コアと、この１次コアに巻回する１次巻線とを備えて、扉枠に揺動不能に取り付けられる。２次側ユニット２０ｂは、扉が閉じた状態において、１次コアとの間に所定の間隙を有して対向配置される２次コアと、この２次コアに巻回した２次巻線とを備えて、扉の開放側に揺動不能に取り付けられる。
【００２７】
この非接触通電装置２０では、結合トランスの１次コア及び２次コアに巻回して構成された信号送受信用の巻線に電源供給制御盤１０や電気錠装置４０から変調信号を印加することにより、結合トランスの電磁誘導作用を利用して、互いに対向する信号送受信用の巻線に信号を伝達している。
【００２８】
無線通信機３０は、例えば無線送受信機で構成され、電気錠装置４０との間で無線通信可能とされている。また、無線通信機３０は、電源供給制御盤１０と通信ケーブルなどで有線接続されており、電気錠装置４０から送信される状態信号（例えば錠の施解錠状態や施解錠回数などの電気錠装置４０に関する各種モニタ信号、扉の開閉状態を示す扉開閉状態信号、電源供給有り又は無しを示す電源供給有無状態信号、電源供給異常を示す異常状態信号など）を受信し、この受信した各種信号を電源供給制御盤１０に送信している。
【００２９】
電気錠装置４０は、各種扉の所定箇所に設けられ、所定の施解錠情報を正常認証したときに現在の錠前及び扉の状態に応じて錠前を電気的に施解錠制御するものである。この電気錠装置４０は、蓄電部４１、電源監視部４２、無線通信部４３、施解錠情報取得部４４、記憶部４５、扉開閉検知部４６、電気錠制御部４７、施解錠機構４８、警報部４９を備えて構成される。
【００３０】
蓄電部４１は、電源供給制御盤１０から供給される電気錠装置４０の各部の駆動に必要な電源を蓄電する大容量のコンデンサであり、非接触通電装置２０を介して電源供給制御盤１０から供給される電源を蓄電している。これにより、電源供給制御盤１０からの電源供給が停止した場合でも、蓄電部４１で電源がバックアップされているため、蓄電部４１に蓄電された電源を使用して一時的に装置内の各部の駆動が可能となっている。
【００３１】
電源監視部４２は、電源供給制御盤１０から電源が供給されているか否かを監視しており、電源供給制御盤１０からの電源供給の有無を検知し、この電源供給有無の状態に応じた電源供給有無状態信号を記憶部４５に出力している。
【００３２】
無線通信部４３は、無線通信機３０と無線通信可能であり、所定間隔で継続して行われるポーリング時に記憶部４５に記憶された電気錠装置４０に関する状態信号を無線通信機３０へ送信している。なお、無線通信機３０への状態信号送信は、蓄電部４１に蓄電された電源が無くなるまで所定間隔で継続して送信される。
【００３３】
施解錠情報取得部４４は、例えば暗証番号入力によって施解錠操作の指示入力を行うためのテンキーや操作キー、リモコンなどの無線型キーや携帯電話から送信された施解錠情報（施解錠操作の指示入力）を読み取るための情報読取器、磁気カード，ＩＣカード，非接触型ＩＣチップやＲＦＩＤタグ（Radio Frequency Identification  Tag ）を搭載した非接触型ＩＣカードなどの各種カード状記憶媒体から施解錠情報（施解錠操作の指示入力）を読み取るカードリーダなど、利用者の施解錠操作の指示入力に基づく施解錠情報（錠前を施解錠するために必要な情報）を取得するための施解錠操作機器で構成され、扉や扉近傍の壁の所定箇所に設けられる。施解錠情報取得部４４は、利用者の施解錠操作に基づく施解錠情報を取得すると、この施解錠情報を電気錠制御部４７に出力している。
【００３４】
記憶部４５は、例えば磁気的、光学的記憶媒体若しくはＲＯＭ、ＲＡＭなどの半導体メモリで構成される。記憶部４５は、施解錠情報取得部４４が取得した施解錠情報が正当な情報であるか否かを判別するための認証用施解錠情報、扉の開閉状態を示す扉開閉状態信号、電気錠装置４０の状態を示す状態信号（例えば電源供給制御盤１０からの電源供給の有無を示す電源供給有無状態信号、錠前の施解錠状態を示す施解錠状態信号、施解錠操作回数や操作エラーログなどの操作状態信号、電気錠装置４０に対する電源供給異常を示す異常状態信号）などの電気錠装置４０の施解錠制御に必要な各種データを記憶している。
【００３５】
扉開閉検知部４６は、現在、扉が開扉状態か閉扉状態かを検知し、この扉の開閉状態を示す扉開閉状態信号（扉開扉状態信号、扉閉扉状態信号）を電気錠制御部４７に出力している。
【００３６】
電気錠制御部４７は、例えばＣＰＵ、ＲＯＭ、ＲＡＭ等を含むマイクロコンピュータで構成され、電気錠装置４０を構成する各部を統括制御している。電気錠制御部４７は、施解錠情報取得部４４から取得した施解錠情報と、予め記憶部４５に記憶された認証用施解錠情報とを照合してその正当性を判別し、正常に認証したときのみ現在の錠前の施解錠状態、扉の開閉状態に応じて錠前を電気的に解錠（又は施解錠）制御している。
【００３７】
また、電気錠制御部４７は、錠前の解錠（又は施解錠）制御時に、施解錠機構４８を駆動させるための駆動制御信号の出力、蓄電部４１に蓄電された電源を装置内の各部へ供給する電源供給制御などの様々な処理制御をしている。さらに、電気錠制御部４７は、扉が閉扉した状態で電源供給制御盤１０から電源が供給されていない状態の場合に、電源供給異常があると判別し、この異常発生を発報するべく警報部４９に異常状態信号を出力するとともに記憶部４５に異常状態信号を記憶させている。
【００３８】
施解錠機構４８は、例えばモータやソレノイド等の駆動装置と錠前で構成され、電気錠制御部４７から入力される駆動制御信号により錠前を施錠または解錠するべく駆動し、扉枠の係止穴に対してデッドボルトを突出（施錠時）又は引き込む（解錠時）ことにより錠前が施解錠される。
【００３９】
警報部４９は、例えばブザーなどの鳴動装置で構成され、電気錠制御部４７から異常状態信号が入力すると、警報音を鳴らして外部に異常を発報している。
【００４０】
〔第１形態の動作〕
次に、上記構成の電気錠システム１における電源供給制御盤１０と電気錠装置４０の動作について、図２及び図３のフローチャートを参照しながら説明する。
【００４１】
まず、図２を参照しながら、電源供給制御盤１０の動作について説明する。図２に示すように、電源供給制御盤１０では、非接触通電装置２０を経由して電気錠装置４０へ電源を供給すると（ＳＴ１）、状態信号用計時手段１３ａを作動して状態信号用時間を計時する（ＳＴ２）。そして、計時が開始すると、電気錠装置４０から状態信号を受信したか否かを判別する（ＳＴ３）。
【００４２】
このとき、状態信号用時間内に電気錠装置４０から状態信号を受信したと判別すると（ＳＴ３−Ｙｅｓ）、この状態信号に基づき扉が閉扉しているか否かを判別する（ＳＴ４）。このとき、状態信号用時間の計時を停止してリセットする。
これに対し、電気錠から信号を受信していない、すなわち状態信号用時間内に電気錠装置４０からの状態信号を受信していないと判別すると（ＳＴ３−Ｎｏ）、電気錠装置４０に何らかの異常が発生していると判別して一旦電源供給を停止し（ＳＴ５）、この電源供給停止に伴い供給停止時間の計時を開始する（ＳＴ６）。そして、供給停止時間計時後に再び電気錠装置４０に電源供給を開始するため、ＳＴ１に戻る。
【００４３】
ＳＴ４において、扉が閉扉していると判別すると（ＳＴ４−Ｙｅｓ）、受信した状態信号に基づき電気錠装置４０に対して電源供給が有るか否かを判別する（ＳＴ７）。
これに対し、扉が開扉していると判別すると（ＳＴ４−Ｎｏ）、システムの省電力化を図るため、ＳＴ５の処理に移行する。
【００４４】
ＳＴ７において、電源供給有りと判別すると（ＳＴ７−Ｙｅｓ）、電気錠装置４０が正常に作動していると判別し、そのまま継続して電源供給を行うべく、再びＳＴ１へ移行する。
これに対し、電源供給無しと判別すると（ＳＴ７−Ｎｏ）、電源供給異常があると判別し、一旦電源供給を停止するため、ＳＴ５の処理に移行する。
【００４５】
次に、図３を参照しながら、電気錠装置４０における動作について説明する。図３に示すように、電気錠装置４０では、電源供給制御盤１０から非接触通電装置２０を経由して電源が供給されると（ＳＴ１１）、蓄電部４１に電源が蓄えられ、電気錠制御部４７が駆動可能になる（ＳＴ１２）。電気錠制御部４７が駆動可能になると、現在の電気錠装置４０や扉の状態を示す状態信号を無線通信機３０に出力し、無線通信機３０を介して電源供給制御盤１０に送信する（ＳＴ１３）。送信する状態信号は、例えば扉の開閉状態を示す扉開閉状態信号、電源供給制御盤１０からの電源供給の有無を示す電源供給有無状態信号、錠前の施解錠状態を示す施解錠状態信号、施解錠操作回数や操作エラーログなどの操作状態信号、電気錠装置４０に対する電源供給異常を示す異常状態信号である。
【００４６】
次に、電源供給制御盤１０から電源供給が有るか否かを判別する（ＳＴ１４）。電源供給制御盤１０から電源供給が有ると判別すると（ＳＴ１４−Ｙｅｓ）、施解錠操作されたか否かを判別する（ＳＴ１５）。
これに対し、電源供給制御盤１０から電源供給が無いと判別すると（ＳＴ１４−Ｎｏ）、扉が閉扉されているか否かを判別する（ＳＴ１６）。
【００４７】
ＳＴ１５において、施解錠操作されたと判別すると（ＳＴ１５−Ｙｅｓ）、施解錠操作された際に取得した施解錠情報の正当性を判別する（ＳＴ１７）。
これに対し、施解錠操作されていないと判別すると（ＳＴ１５−Ｎｏ）、現在の状態を示す状態信号を電源供給制御盤１０に出力するため、ＳＴ１３に戻る。
【００４８】
ＳＴ１７において、施解錠情報が正常に認証されると（ＳＴ１７−Ｙｅｓ）、施解錠機構４８を駆動制御して現在の錠前の状態に基づく施解錠制御を行い（ＳＴ１８）、この施解錠操作状態を状態信号として電源供給制御盤１０に出力するため、ＳＴ１３に戻る。
これに対し、施解錠情報が正常に認証されないと（ＳＴ１７−Ｎｏ）、施解錠情報が正常でなく不正な施解錠操作であると判別し、この施解錠操作状態を状態信号として電源供給制御盤１０に出力するため、ＳＴ１３に戻る。
【００４９】
また、ＳＴ１６において、扉が閉扉されていると判別すると（ＳＴ１６−Ｙｅｓ）、例えば非接触通電装置２０のユニット間に鉄板が装入された状態や停電や故障による元電源の遮断による異常発生と見なし、この異常状態を警報するための警報信号を警報部４９に出力して発報し（ＳＴ１９）、この異常状態信号を状態信号として電源供給制御盤１０に出力するため、ＳＴ１３に戻る。
これに対し、扉が閉扉されていない（すなわち開扉状態）と判別すると（ＳＴ１６−Ｎｏ）、現在扉が開扉しているため、この開扉状態を状態信号として電源供給制御盤１０に出力するため、ＳＴ１３に戻る。
【００５０】
＜第２形態＞
次に、本例の電気錠システムの第２形態について図４及び図５を参照しながら説明する。なお、図１〜３で説明した第１形態の電気錠システム１と同一の構成要素には同一番号を付し、その説明を省略している。
〔第２形態の構成〕
【００５１】
第２形態の電気錠システム１は、図１の電気錠システム１の構成、すなわち電源供給制御盤１０、無線通信機３０、電気錠装置４０の構成に加え、集中管理装置５０を備えたものである。
【００５２】
図４に示すように、集中管理装置５０は、例えばパソコンなどの表示器、操作器を有する外部通信端末であり、通信インターフェースである管理装置通信部５１を備え、この管理装置通信部５１と電源供給制御盤１０の制御盤通信部１５とがデータ通信可能に無線若しくは有線接続されている。集中管理装置５０は、電気錠装置４０から出力された状態信号を電源供給制御盤１０を介して受信し、電気錠装置４０の状態管理をしている。また、集中管理装置５０は、電気錠装置４０に対して電源供給異常があった場合に、管理会社や管理者に対して例えばメール通知や鳴動通知などを行って外部に異常発生を発報することもできる。
【００５３】
〔第２形態の動作〕
次に、第２形態の電気錠システムの動作について図５のフローチャートを参照しながら説明する。なお、図５において、図２と同一の処理内容については同一のステップ番号（ＳＴ）を付し、その説明を省略し、また電気錠装置４０に関する処理動作は第１形態と同一の処理内容であるため、その説明を省略する。
【００５４】
図４の電気錠システム１では、ＳＴ７において、電源供給有りと判別すると（ＳＴ７−Ｙｅｓ）、電気錠装置４０が正常に作動していると判別し、この電気錠装置４０の状態を示す状態信号を集中管理装置５０に送信し（ＳＴ８）、継続して電源供給を行うべく、再びＳＴ１へ移行する。
これに対し、電源供給無しと判別すると（ＳＴ７−Ｎｏ）、電気錠装置４０に対して電源供給異常があると判別し、この異常発生を示す異常状態信号を集中管理装置５０に送信し（ＳＴ９）、電源供給を停止するため、ＳＴ５の処理に移行する。なお、その他の動作については、図２で説明した内容と同一である。
【００５５】
このように、上述した第１形態の電気錠システムによれば、電源供給制御盤１０と電気錠装置４０との間を無線通信可能とし、正常時は非接触通電装置２０を介して電源供給制御盤１０から電気錠装置４０に対して常時電源供給される。そして、電気錠装置４０から扉の開閉状態や電気錠装置４０への電源供給の有無を示す状態信号を受信し、この受信した状態信号に基づき電気錠装置４０への電源供給停止制御や異常検出を行っている。
このため、制御機能を一体化した電気錠の弱点であった電池交換が不要となり、電池消耗の問題が解決される。また、非接触通電装置２０を介して電源供給を行っているため、扉内の配線工事を行う必要がなく、システムの設置費用を安価にすることができる。
【００５６】
さらに、電気錠装置４０からの状態信号に基づき、扉閉扉状態で、且つ電源供給されていないときや扉開扉状態のときは電源供給を停止するため、不正に非接触通電装置２０のユニット間に鉄板が挟まれた場合であっても鉄板の発熱による問題を解消することができる。また、電気錠装置４０に蓄電部４１を備えているため、扉開閉状態や電源供給異常が発生して電気錠装置４０が無給電状態となっても、バックアップされた電源により記憶した各種情報のリセットを防ぎ、且つ電源供給制御盤１０との通信を無線通信機３０を介して常時行うことができる。
【００５７】
そして、第２形態の電気錠システムによれば、集中管理装置５０によって接続される電気錠装置４０の状態管理を一括して行うことができるため、電源供給異常などの電気錠装置４０における異常が発生した場合であっても即座に対応することができる。
【図面の簡単な説明】
【００５８】
【図１】本発明に係る電気錠システムの第１形態の概略構成を示すブロック図である。
【図２】同電気錠システムにおける電源供給制御盤の動作を説明するためのフローチャート図である。
【図３】同電気錠システムにおける電気錠装置の動作を説明するためのフローチャート図である。
【図４】本発明に係る電気錠システムの第２形態の概略構成を示すブロック図である。
【図５】図４の電気錠システムにおける電源供給制御盤の動作を説明するためのフローチャート図である。
【符号の説明】
【００５９】
１  電気錠システム
１０  電源供給制御盤
１１  電源部
１２  電源制御部
１３  計時部（１３ａ  状態信号用計時手段、１３ｂ  停止時間計時手段）
１４  制御盤制御部
１５  制御盤通信部
２０  非接触通電装置（２０ａ  一次側ユニット、２０ｂ  二次側ユニット）
３０  無線通信機
４０  電気錠装置
４１  蓄電部
４２  電源監視部
４３  無線通信部
４４  施解錠情報取得部
４５  記憶部
４６  扉開閉検知部
４７  電気錠制御部
４８  施解錠機構
４９  警報部
５０  集中管理装置
５１  管理装置通信部
【図１】
0005289793.tif 000002
【図２】
0005289793.tif 000003
【図３】
0005289793.tif 000004
【図４】
0005289793.tif 000005
【図５】
0005289793.tif 000006